(57)【特許請求の範囲】
【請求項１】
金属部材を有する物品と、前記金属部材に設けられた細長状の外面に貼り付けられた非接触ＩＣラベルと、を有する非接触ＩＣラベル付き物品であって、
前記非接触ＩＣラベルは、
磁性シートと、
前記磁性シートの一方の面に設けられ、ＩＣチップを有するダイポールアンテナと、
前記磁性シートの他方の面に設けられ前記外面に貼り付けられた接着層と、
を備え、
前記磁性シートの厚さが１００μｍ以上であり、
前記外面の幅が１０ｍｍ以下であることを特徴とする非接触ＩＣラベル付き物品。
【請求項２】
金属部材を有する物品と、前記金属部材に設けられた細長状の外面に貼り付けられた非接触ＩＣラベルと、を有する非接触ＩＣラベル付き物品であって、
前記非接触ＩＣラベルは、
磁性シートと、
前記磁性シートの一方の面に設けられ、ＩＣチップを有するダイポールアンテナと、
前記磁性シートの他方の面に設けられ前記外面に貼り付けられた接着層と、
を備え、
前記磁性シートの厚さが２００μｍ以上であり、
前記外面の幅が２５ｍｍ以下であることを特徴とする非接触ＩＣラベル付き物品。
【請求項３】
金属部材を有する物品と、前記金属部材に設けられた細長状の外面に貼り付けられた非接触ＩＣラベルと、を有する非接触ＩＣラベル付き物品であって、
前記非接触ＩＣラベルは、
磁性シートと、
前記磁性シートの一方の面に設けられ、ＩＣチップを有するダイポールアンテナと、
前記磁性シートの他方の面に設けられ前記外面に貼り付けられた接着層と、
を備え、
前記磁性シートの厚さが３００μｍ以上であり、
前記外面の幅が５０ｍｍ以下であることを特徴とする非接触ＩＣラベル付き物品。
【請求項４】
前記外面の長さが３００ｍｍ以下であることを特徴とする請求項１から３のいずれか一項に記載の非接触ＩＣラベル付き物品。
【請求項５】
データ読み取り装置との間の通信方式に電波方式を用いたことを特徴とする請求項４に記載の非接触ＩＣラベル付き物品。
【発明の詳細な説明】
【技術分野】
【０００１】
本発明は、ＵＨＦ帯およびＳＨＦ帯で用いられる非接触ＩＣラベルを有する非接触ＩＣラベル付き物品に関する。
【背景技術】
【０００２】
従来、ＲＦＩＤタグ（非接触ＩＣラベル）とリーダなどとの間で無線通信が行われている。しかし、このＲＦＩＤタグを物品における金属部材の外面に取り付けたときには通信性能が低下してしまうので、この問題点を解決するために、以下に説明するような様々なＲＦＩＤタグの構成が検討されている。
たとえば、１３．５６ＭＨｚ帯の電波を用いる電磁誘導方式のＲＦＩＤタグでは、アンテナと金属部材との間に高透磁率の磁性体（磁性シート）を設け、アンテナと金属部材との間にロスの少ない磁束のルートを確保することで、金属部材に取り付けても用いることができるＲＦＩＤタグを実現している。なお、通信性能は低下するが磁性体の厚さを例えば１００μｍまたは１００μｍ以下と薄くすることもできるので、金属部材に対応した薄手の金属対応ＲＦＩＤタグも作ることができる。
【０００３】
これに対して、ＵＨＦ帯およびＳＨＦ帯で用いられる電波方式のＲＦＩＤタグでは、アンテナと金属部材との間に誘電体また空気層を設けることで、アンテナと金属部材との隙間を確保し、金属部材の影響を抑える方法が一般的に用いられる。
しかしながら、この方法では、アンテナと金属部材との間に、１００μｍの厚さの誘電体を用いたり、１００μｍの厚さの空気層を設けるなどとした場合、金属部材の影響を強く受けてしまい通信不能となってしまう。よって、現状では、１３．５６ＭＨｚ帯で用いられるような薄手（厚さが数百μｍ以下）のＲＦＩＤタグを作ることは難しいとされている。
【０００４】
ＵＨＦ帯およびＳＨＦ帯で用いられる電波方式の他のＲＦＩＤタグとしては、例えば特許文献１に示すように、アンテナと金属部材との間に磁性体を設ける構成も提案されている。このＲＦＩＤタグでは、アンテナと金属部材との間に軟磁性体を配置している。特許文献１では、軟磁性体については克明な記載がある。一方で、使用するアンテナに関してはダイポールアンテナ及びその変形アンテナといった程度の記載に留まっており、また実際の検証においてもアンテナ形状の詳細な記載はなく、磁性体の厚さも１ｍｍ（通信距離は１５ｍｍ）の例しか記載されていない。さらには、ＲＦＩＤタグの取り付け対象である金属部材の具体的な一般例、形状、大きさ等に関する記載もない。
【０００５】
金属部材を有する物品としては、人が手で持って使うスパナ、ドライバー、ヤスリ等の機械工具をはじめ、医療器具、調理器具などの、小型の物品を挙げることができる。
【先行技術文献】
【特許文献】
【０００６】
【特許文献１】特開２００５−３０９８１１号公報
【発明の概要】
【発明が解決しようとする課題】
【０００７】
しかしながら、上記特許文献１に記載されたＲＦＩＤタグでは、たとえば、ラベルとして用いられるには厚くなりすぎて、例えば上記の人が手で持って使うような、小型であって金属部材を有する物品に貼り付けて用いた場合には非常に使いにくいという問題がある。ＲＦＩＤタグラベルとして用いるためには、扱いやすいように薄型かつ小型であることが望まれている。
【０００８】
本発明は、このような問題点に鑑みてなされたものであって、物品の金属部材の外面に直接取り付けても通信可能な薄型かつ小型の非接触ＩＣラベル付き物品を提供することを目的とする。
【課題を解決するための手段】
【０００９】
上記課題を解決するために、この発明は以下の手段を提案している。
本発明の非接触ＩＣラベル付き物品は、金属部材を有する物品と、前記金属部材に設けられた細長状の外面に貼り付けられた非接触ＩＣラベルと、を有する非接触ＩＣラベル付き物品であって、前記非接触ＩＣラベルは、磁性シートと、前記磁性シートの一方の面に設けられ、ＩＣチップを有するダイポールアンテナと、前記磁性シートの他方の面に設けられ前記外面に貼り付けられた接着層と、を備え、前記磁性シートの厚さが１００μｍ以上であり、前記外面の幅が１０ｍｍ以下であることを特徴としている。
【００１０】
また、本発明の他の非接触ＩＣラベル付き物品は、金属部材を有する物品と、前記金属部材に設けられた細長状の外面に貼り付けられた非接触ＩＣラベルと、を有する非接触ＩＣラベル付き物品であって、前記非接触ＩＣラベルは、磁性シートと、前記磁性シートの一方の面に設けられ、ＩＣチップを有するダイポールアンテナと、前記磁性シートの他方の面に設けられ前記外面に貼り付けられた接着層と、を備え、前記磁性シートの厚さが２００μｍ以上であり、前記外面の幅が２５ｍｍ以下であることを特徴としている。
【００１１】
また、本発明の別の他の非接触ＩＣラベル付き物品は、金属部材を有する物品と、前記金属部材に設けられた細長状の外面に貼り付けられた非接触ＩＣラベルと、を有する非接触ＩＣラベル付き物品であって、前記非接触ＩＣラベルは、磁性シートと、前記磁性シートの一方の面に設けられ、ＩＣチップを有するダイポールアンテナと、前記磁性シートの他方の面に設けられ前記外面に貼り付けられた接着層と、を備え、前記磁性シートの厚さが３００μｍ以上であり、前記外面の幅が５０ｍｍ以下であることを特徴としている。
【００１２】
また、上記の非接触ＩＣラベル付き物品において、前記外面の長さが３００ｍｍ以下であることがより好ましい。
また、上記の非接触ＩＣラベル付き物品において、データ読み取り装置との間の通信方式に電波方式を用いたことがより好ましい。
【発明の効果】
【００１３】
本発明の非接触ＩＣラベル付き物品によれば、物品の金属部材の外面に直接取り付けても通信可能であって、薄型かつ小型にすることができる。
【図面の簡単な説明】
【００１４】
【図１】本発明の一実施形態の非接触ＩＣラベル付き物品の平面図である。
【図２】同非接触ＩＣラベル付き物品における非接触ＩＣラベルの平面図である。
【図３】同非接触ＩＣラベルの側面図である。
【図４】同非接触ＩＣラベル付き物品を用いた実験の内容を説明する側面図である。
【図５】磁性シートの厚さが１００μｍの場合の実験結果の図である。
【図６】磁性シートの厚さが２００μｍの場合の実験結果の図である。
【図７】磁性シートの厚さが３００μｍの場合の実験結果の図である。
【発明を実施するための形態】
【００１５】
以下、本発明の一実施形態の非接触ＩＣラベル付き物品を、図１から図７を参照しながら説明する。図１に示すように、本非接触ＩＣラベル付き物品１は、不図示のデータ読み取り装置との間で非接触にて通信を行うものであり、スパナ（物品）１０と、スパナ１０に設けられた細長状の外面１１に貼り付けられた非接触ＩＣラベル２０とを備えている。
なお、以下の全ての図面においては、図面を見やすくするため、各構成要素の厚さや寸法の比率は適宜異ならせてある。
【００１６】
この例では、物品であるスパナ１０の全体が金属部材となっている。スパナ１０は、全体がクロームモリブデン鋼などの金属で形成されている。
ここで言う金属部材とは、部材における重量比５０％を超える部分が固体の金属で形成されているもののことを意味する。ただし、物品における金属部材以外の部分については、樹脂、セラミックス、および金属など、どのような材料で形成されていてもよい。
【００１７】
図２および図３に、非接触ＩＣラベル２０の平面図および側面図をそれぞれ示す。
非接触ＩＣラベル２０は、磁性シート２１と、磁性シート２１の一方の面２１ａに設けられた通信部２２と、磁性シート２１の他方の面２１ｂに設けられた接着層２３とを有している。
磁性シート２１としては、磁性粒子、または磁性フレークとプラスチックまたはゴムとの複合材からなる、ラベル用途として柔軟性に富んだ公知の材料を用いることができる。図２に示すように、磁性シート２１の厚さ方向に見た平面視において、磁性シート２１は矩形状に形成されている。
【００１８】
通信部２２は、平面視において磁性シート２１の中心に配置されている。
通信部２２は、ＩＣチップ２４と、ＩＣチップ２４に接続されたインピーダンス整合回路部２５と、インピーダンス整合回路部２５に接続されるとともにインピーダンス整合回路部２５を挟むように配置された第１のアンテナエレメント２６、第２のアンテナエレメント２７と、を有している。
ＩＣチップ２４は公知の構成のものが用いられ、ＩＣチップ２４内には所定の情報が記憶されている。そして、ＩＣチップ２４に設けられた不図示の電気接点から電波方式により電波のエネルギーを供給することで、記憶された情報をこの電気接点から外部に電波として伝達させることができる。
【００１９】
本実施形態では、インピーダンス整合回路部２５、および、アンテナエレメント２６、２７は、ＰＥＴなどで形成された不図示のフィルム上に銀ペーストインキを印刷することで、一体に形成されている。
インピーダンス整合回路部２５は、所定の形状に蛇行させた配線により形成されている。インピーダンス整合回路部２５は、ＩＣチップ２４の不図示の電気接点に電気的に接続されている。インピーダンス整合回路部２５は、ＩＣチップ２４と第１のアンテナエレメント２６との間、およびＩＣチップ２４と第２のアンテナエレメント２７との間に、互いに等しい所定のインピーダンスおよび抵抗値が生じるように構成されている。
【００２０】
アンテナエレメント２６、２７は、平面視において、アンテナエレメント２６、２７がインピーダンス整合回路部２５を挟む挟み方向Ｄが長い矩形状に形成されている。
アンテナエレメント２６、２７は、挟み方向Ｄが磁性シート２１の長辺２１ｃに平行となるように配置されている。
このように構成された通信部２２は、磁性シート２１の一方の面２１ａに２つのアンテナエレメント２６、２７を有する、いわゆるダイポールアンテナとなっている。
接着層２３としては、合成ゴム系やアクリル系といった公知の接着剤などを適宜選択して用いることができる。接着層２３の厚さは、１０〜３０μｍに設定されることが好ましい。
非接触ＩＣラベル２０は、細長状の外面１１の長さ方向（外面１１の平面視において寸法が大きくなる方向）が挟み方向Ｄに対して平行となるように、接着層２３により外面１１に貼り付けられている。
【００２１】
以上のように構成された非接触ＩＣラベル付き物品１は、磁性シート２１の厚さ、外面１１の幅（外面１１の平面視において寸法が小さくなる方向の寸法）を所定の範囲内に設定することで、データ読み取り装置との間で好適に通信可能であるとともに、薄型かつ小型に形成することができる。なお、外面１１の幅が長さ方向において一定でない場合には、長さ方向における幅の平均値を外面１１の幅とすればよい。外面１１の長さについても同様である。
この目的を達成する磁性シート２１の厚さの範囲、外面１１の幅の範囲を検討するために、以下に説明する実験を行った。
【００２２】
（実験）
実験には、下記に示す機材および材料を使用し、図４に示すように構成した。
・磁性シート２１：大同特殊鋼（株）製  ＮＲＣ０１０（厚さ１００μｍ）
・ＩＣチップ２４：ＮＸＰ社製  ＵＣＯＤＥ  Ｇ２ｉＬ
・インピーダンス整合回路部２５、およびアンテナエレメント２６、２７
：アンテナエレメント２６、２７の寸法  ２３ｍｍ×５ｍｍ
ＰＥＴフィルム（厚さ５０μｍ）上に銀ペーストインキでパターン印刷（厚さ
８μｍ）、ＩＣチップ２４以外は自社製
・リーダライタＲ１：９５０ＭＨｚ帯ＲＦＩＤ用リーダライタ  三菱電機社製
ＲＦ−ＲＷ００２（最大出力１Ｗ  ３０ｄＢｍ）
・読み取りアンテナＲ２：９５０ＭＨｚ帯ＲＦＩＤ用アンテナ  三菱電機社製
ＲＦ−ＡＴＣＰ００１（左旋円偏波  最大利得６ｄＢｉ）
・固定減衰器Ｒ３：ヒロセ電機製  ＡＴ−１０７（減衰量  ７ｄＢ）
なお、リーダライタＲ１、読み取りアンテナＲ２、および固定減衰器Ｒ３で、データ読み取り装置Ｒ１０を構成する。
・金属板３０ａ：ステンレス製
２５０ｍｍ（長さ）×２５０ｍｍ（幅）×０．５ｍｍ（厚さ）
・金属板（金属部材）３０ｂ：アルミニウム製
１００ｍｍ（長さ）×５ｍｍ（幅）×３ｍｍ（厚さ）
１００ｍｍ×１０ｍｍ×３ｍｍ
１００ｍｍ×２５ｍｍ×３ｍｍ
１００ｍｍ×５０ｍｍ×３ｍｍ
２００ｍｍ×５ｍｍ×３ｍｍ
２００ｍｍ×１０ｍｍ×３ｍｍ
２００ｍｍ×２５ｍｍ×３ｍｍ
２００ｍｍ×５０ｍｍ×３ｍｍ
【００２３】
（実験方法）
図４に示すように、金属板（物品）３０の外面３１の中央に非接触ＩＣラベル２０を取り付けて非接触ＩＣラベル付き物品２を構成した。データ読み取り装置Ｒ１０の読み取りアンテナＲ２によって、非接触ＩＣラベル付き物品２の通信距離（データ読み取り装置Ｒ１０が非接触で通信部２２から情報を読み取ることができる距離の最大値）の測定を行った。本実験に用いた非接触ＩＣラベル２０は、接着層２３を有していない。通信部２２とデータ読み取り装置Ｒ１０との間の通信方式は、電波方式となる。
なお、非接触ＩＣラベル２０を貼り付ける対象は小型の物品であるため、外面３１の幅が５０ｍｍを越えるもの、および、外面３１の長さが３００ｍｍを越えるものは、実験の対象外とした。非接触ＩＣラベル２０を薄型にするために、磁性シート２１の厚さとしては、５００μｍ以下であることが好ましい。
当然のことではあるが、外面３１の幅、および外面３１の長さは０ｍｍより大きいことになる。
【００２４】
この実験では、金属板３０の外面３１と非接触ＩＣラベル２０の磁性シート２１とを密着させるために、不図示の発砲スチロールを非接触ＩＣラベル２０上に置くとともに、金属板３０から発泡スチロールまでをまとめて、バンドで固定した。なお、接着層２３および発泡スチロールの有無は、通信距離の測定結果にはほとんど影響を与えないことが分かっている。
【００２５】
実験に使用したリーダライタＲ１および読み取りアンテナＲ２は、本非接触ＩＣラベル２０をある程度の通信距離にて読み取ることが可能なＵＨＦ帯高出力リーダライタおよびアンテナである。
リーダライタＲ１の最高出力は１Ｗ（３０ｄＢｍ）であるが、実験環境の都合上リーダライタＲ１と読み取りアンテナＲ２を結ぶ同軸ケーブル上に−７ｄＢの固定減衰器Ｒ３を接続し、リーダライタＲ１の出力を０．２Ｗ（２３ｄＢｍ）に減衰させて実験をおこなった。
【００２６】
読み取りアンテナＲ２を非接触ＩＣラベル２０に向け回転させ、非接触ＩＣラベル２０に対して０度と９０度の２つの角度で読み取りをおこない、通信距離が長い方の値を実験結果とした。
実験に使用した磁性シート２１は、１００μｍ厚の磁性シートを重ね合わせて、２００μｍ、３００μｍ厚の磁性シートとした。
【００２７】
（１−１  実験）
第１の実験として、比較例となる実験を行った。
前述の２５０ｍｍ×２５０ｍｍの金属板３０ａの中心に非接触ＩＣラベル２０を置き、磁性シート２１の厚さを変えて読み取りの実験を行った。実験結果を以下に示す。
【００２８】
（１−２  結果）
・磁性シート２１の厚さが１００μｍのとき、通信距離は１２０ｍｍ。
・磁性シート２１の厚さが２００μｍのとき、通信距離は１５０ｍｍ。
・磁性シート２１の厚さが３００μｍのとき、通信距離は１５０ｍｍ。
この実験は、非接触ＩＣラベル２０の外形寸法に対して金属板３０ａのサイズが十分に大きく、さらに金属板３０ａの中心に非接触ＩＣラベル２０を配した場合の比較例となる実験であり、後述する第２の実験と比較するために行った。なお、上記の実験結果（通信距離）は、金属部材に直接貼り付けても通信可能な薄型でかつ小型の非接触ＩＣラベルとしては、不十分な通信距離となっている。
【００２９】
（２−１  実験）
第２の実験として、本発明の非接触ＩＣラベル付き物品２の通信距離を確認する実験を行った。
前述の金属板３０ｂを複数組み合わせて、幅を５ｍｍ、１０ｍｍ、２５ｍｍ、５０ｍｍの４種類として、長さを１００ｍｍ、２００ｍｍ、３００ｍｍ、４００ｍｍの４種類とした計１６種類のサイズの金属板３０を作り、その金属板３０の中心に非接触ＩＣラベル２０を置き、磁性シート２１の厚さを変えて読み取りの実験を行った。
【００３０】
（２−２  結果）
磁性シート２１の厚さが１００μｍ、２００μｍ、および３００μｍの場合の実験結果（グラフ）を、図５、図６、および図７にそれぞれ示す。
図５に示す磁性シート２１の厚さが１００μｍの場合では、以下のような結果となった。すなわち、金属板３０の外面３１の長さが３００ｍｍ以下で、外面３１の幅が１０ｍｍ以下の５ｍｍおよび１０ｍｍの場合において、通信距離が２５０ｍｍ以上と、第１の実験結果の１２０ｍｍに対して２倍以上の通信距離が得られている。一方で、外面３１の幅が２５ｍｍおよび５０ｍｍの場合においては、第１の実験結果と変わらない結果となった。
【００３１】
図６に示す磁性シート２１の厚さが２００μｍの場合では、前述の厚さが１００μｍの場合に対して磁性シート２１の厚さが２倍になったことで、全体的に通信距離が上昇している。
外面３１の長さが３００ｍｍ以下で、外面３１の幅が２５ｍｍ以下の５ｍｍ、１０ｍｍ、および２５ｍｍの場合において通信距離が２５０ｍｍ以上と、第１の実験結果の１５０ｍｍに対して１００ｍｍ以上通信距離が長くなっている。一方で、外面３１の幅が５０ｍｍの場合においては、外面３１の長さが２００ｍｍ以下でのみ、第１の実験結果に対して通信距離が長くなっている。
外面３１の幅が５ｍｍのものは、外面３１の長さが１００ｍｍの場合に通信距離が８００ｍｍ近くまで達し、幅が１０ｍｍの場合にも、通信距離が長くなる傾向がうかがえる。
【００３２】
図７に示す磁性シート２１の厚さが３００μｍの場合では、前述の厚さが２００μｍの場合に対して磁性シート２１の厚さが１．５倍になったことで、局所的に通信距離の上昇がみられる。
外面３１の長さが３００ｍｍ以下で、外面３１の幅が５０ｍｍ以下の５ｍｍ、１０ｍｍ、２５ｍｍ、および５０ｍｍの場合において通信距離が２００ｍｍ以上と、第１の実験結果の１５０ｍｍに対して通信距離が長くなっている。
外面３１の幅が５ｍｍおよび１０ｍｍのものは、外面３１の長さが１００ｍｍの場合では通信距離が８００ｍｍ近くまで達している。
【００３３】
なお、非接触ＩＣラベル付き物品２を実際に使用してデータ読み取り装置Ｒ１０との間で通信を行う場合には、データ読み取り装置Ｒ１０に固定減衰器Ｒ３を用いないことで、リーダライタＲ１の出力を最大の１Ｗ（３０ｄＢｍ）まで上げられるので、通信距離がさらに伸びるのは言うまでもない。
また、磁性シート２１の電気的な物性値（透磁率、磁性損失、誘電率、誘電損失など）を好適なものにすることと、インピーダンス整合回路部２５のインピーダンス整合、アンテナエレメント２６、２７の形状を最適化することで、通信距離のさらなる向上、または磁性シート２１をさらに薄くすることができると考えられる。
【００３４】
なお、読み取りアンテナＲ２と対向する金属板３０の外面３１の幅および長さの方が、金属板３０の厚さよりも通信距離に対して支配的である。金属板３０の厚さの違いによる通信距離の変動は、ほとんどないことが分かっている。
【００３５】
以上説明したように、本実施形態の非接触ＩＣラベル付き物品２によれば、磁性シート２１の厚さが１００μｍ以上であり、かつ、金属板３０の外面３１の幅が１０ｍｍ以下であることで、非接触ＩＣラベル２０が薄型かつ小型であっても、非接触ＩＣラベル付き物品２とデータ読み取り装置Ｒ１０との間で良好な通信を行うことができる。
この効果は、磁性シート２１の厚さが２００μｍ以上であり、かつ、金属板３０の外面３１の幅が２５ｍｍ以下である場合、さらに、磁性シート２１の厚さが３００μｍ以上であり、かつ、金属板３０の外面３１の幅が５０ｍｍ以下である場合においても、同様に奏することができる。
【００３６】
また、外面３１の長さが３００ｍｍ以下であることで、非接触ＩＣラベル付き物品２とデータ読み取り装置Ｒ１０との間の通信距離をより長くすることができる。
金属板３０の外面３１の幅と長さを規定することで、非接触ＩＣラベル２０の層構成の中で、一般的に最も厚くなる磁性シート２１の厚さを薄くしても、約２００ｍｍ以上という通信距離が得られることが明らかになった。このことにより、薄型でかつ小型であっても良好な通信距離が得られる非接触ＩＣラベル付き物品２となる。
【００３７】
以上、本発明の一実施形態について図面を参照して詳述したが、具体的な構成はこの実施形態に限られるものではなく、本発明の要旨を逸脱しない範囲の構成の変更なども含まれる。
例えば、前述の実験では金属板３０の外面３１の中央に非接触ＩＣラベル２０を配したが、この非接触ＩＣラベル２０を配する位置はこれに限定されずどの位置であってもよい。ただし、発明者が行った追加実験では、非接触ＩＣラベル２０を貼り付ける位置は、外面３１の中央が最も良いという結果がでている。
【００３８】
前述の実験では金属板３０を平板状としたが、金属板の形状はこれに限定されない。例えば、金属板において、非接触ＩＣラベルが貼り付けられる部分は、ラベルと金属物品とを確実に密着固定させるために平面または曲面の形状であるが、その他の部分の表面形状は、平面、曲面の他、極端に突出していなければどのような形状であってもかまわない。
金属板の外面を非接触ＩＣラベルの形状で彫り込んで、外面に非接触ＩＣラベルを貼り付けたときに、非接触ＩＣラベルが外面から外部に突出しないようにしてもよい。
【００３９】
本実施形態では、物品の全体が金属部材となっている例で説明したが、物品の一部が金属部材であるものでもよい。例えば、ネジと係合させるシャフト（金属部材）が金属で形成され、使用者が把持するグリップが樹脂で形成された物品であるドライバーにおいて、シャフトに非接触ＩＣラベルを貼り付けて非接触ＩＣラベル付き物品として用いることができる。
その他、金属部材を有する物品としては、前述の人が手で持って使う機械工具、医療器具、調理器具などの小型の物品に限らず、機械部品、自動車部品、電気部品、建築部品、配管部品など様々な物品も含まれる。
【００４０】
なお、非接触ＩＣラベルが実際に用いられる際には、図には示さないが、目視または機械読み取りのための文字、図形などの情報が記載されたフィルム、紙類が、ＩＣチップ２４の保護も兼ねて、通信部２２の上面に設けられてもよい。なお、この情報は、非接触ＩＣラベルにフィルムなどを設けた後に、プリンタ等によりフィルム、紙類に記載しても構わない。
【符号の説明】
【００４１】
１、２  非接触ＩＣラベル付き物品
１０  スパナ（物品）
１１  外面
２０  非接触ＩＣラベル
２１  磁性シート
２１ａ  一方の面
２１ｂ  他方の面
２３  接着層
２４  ＩＣチップ
３０、３０ｂ  金属板（物品）
Ｒ１０  データ読み取り装置
【図１】
0005817415.tif 000002
【図２】
0005817415.tif 000003
【図３】
0005817415.tif 000004
【図４】
0005817415.tif 000005
【図５】
0005817415.tif 000006
【図６】
0005817415.tif 000007
【図７】
0005817415.tif 000008